(57)【要約】      （修正有）【課題】運搬が容易な紫外線防止、撥水性のある日除け兼雨具を提供する。【解決手段】折畳収納可能な背負い屋根は、閉じた柔軟性ワイヤにより形成され、上方枠、下方枠、左方枠、右方枠により構成される二次元状の枠部１と、前記枠部１を端部として張られた平面状の生地２と、前記左方枠と前記右方枠のそれぞれ２点を接続する接続部と前記左方枠と前記右方枠の前記接続部の前記下方枠側に取り付けられ、輪状の装着保持部とを含む。小さく畳め、持ち運びに容易で、展開も弾性体枠材の反発力で展開。両腕に通し固定出来る為、使用時の安定を維持。両手が自由となり転倒時の安全性も確保でき、装着時は頭部、頸部、肩部を含む上半身を日光、雨から守ることが出来る。【選択図】図１
2019042135.tif 000002
【特許請求の範囲】
【請求項１】
閉じた柔軟性ワイヤにより形成され、上方枠、下方枠、左方枠、右方枠により構成される二次元状の枠部と
前記枠部を端部として張られた平面状の生地と
前記左方枠と前記右方枠のそれぞれ２点を接続する接続部と前記左方枠と前記右方枠の前記接続部の前記下方枠側に取り付けられ、輪状の装着保持部と、を含み、
前記接続部により前記柔軟性ワイヤが略直角に折り曲げられて前記枠部が屋根部と背負い部に分割され、該屋根部と背負い部とを重畳して折畳収納可能な
折畳収納可能な背負い屋根であって、
前記左方枠と前記右方枠とに取り付けられた左右の前記装着保持部をそれぞれ装着者の左腕と右腕に通して前記背負い部を該装着者の背中に当接させ、前記屋根部を該装着者の頭上に配置させ得る、折畳収納可能な背負い屋根。
【請求項２】
(１) 弾性体の枠材１を準備するステップと、
(２) 紫外線防止、撥水性を有した生地２を準備するステップと、
(３) 枠材１に紫外線防止、撥水性を有した生地２を縫い合わせるステップと、
(４) 枠材１に形態を維持するための保持用生地３を取り付けるステップと、
(５) 枠材１に装着する為のベルト４を取り付けるステップと、
(６) 装着する為のベルト４を調整する為の締め具５を取り付けるステップと、
を含む、日除け兼雨具の製造方法。
【発明の詳細な説明】
【技術分野】
【０００１】
本発明は、人体への簡易的日除け又、雨具に関するものである。
【背景技術】
【０００２】
近年の地球温暖化により熱中症による死亡例が多数報告されており、その要因の
１つに日光に長時間さらされる事により人体に影響を及ぼす事が解っている。
原因の一つとして頭部を直射日光から守ることが重要である。対応の一つとして日傘をさす、帽子をかぶるなどしているが、手が使えない、首や肩まで守れないなどの問題もあり、それらの問題を解決するには不可能であった。
【０００３】
両手の自由を奪わない日除け兼雨具に関しては、度々提案が散見されるが、いずれも商品自体が大きく、持ち運びの点で大きい、かさばるなどの欠点があった。
【０００４】
傘状の日傘にあっては骨組みで形成されており、突出による当事者外への危険性もある。帽子に関しては頭部に装着するものであって、風通しの悪い箇所もあり、熱がこもるといった欠点がある。
【先行技術文献】
【特許文献】
【０００５】
【特許文献１】不明
【非特許文献】
【０００６】
【非特許文献１】日本洋傘振興協議会  水の文化５０号
【発明の概要】
【発明が解決しようとする課題】
【０００７】
解決しようとする問題点は、持ち運びが困難、手がふさがる、容易に使用できない、突出した骨材によって危険性があるなどの点である。
【課題を解決するための手段】
【０００８】
本発明に係る折畳収納可能な背負い傘は、閉じた柔軟性ワイヤにより形成され、上方枠、下方枠、左方枠、右方枠により構成される二次元状の枠部と、
前記枠部を端部として張られた平面状の生地と、
前記左方枠と前記右方枠のそれぞれ２点を接続する接続部と前記左方枠と前記右方枠の前記接続部の前記下方枠側に取り付けられ、輪状の装着保持部と、
を含み、
前記接続部により前記柔軟性ワイヤが略直角に折り曲げられて前記枠部が屋根部と背負い部に分割され、該屋根部と背負い部とを重畳して折畳収納可能な
折畳収納可能な背負い屋根であって、
前記左方枠と前記右方枠とに取り付けられた左右の前記装着保持部をそれぞれ装着者の左腕と右腕に通して前記背負い部を該装着者の背中に当接させ、前記屋根部を該装着者の頭上に配置させ得る。
【０００９】
本発明に係る日除け兼雨具の製造方法は、
(１) 弾性素材の枠材１と、紫外線防止と撥水性を備えた生地２と保持兼通気を確保する生地３と装着するベルト４と、締め具５を準備するステップと、
(２) 弾性素材の枠材１に紫外線防止と撥水性を備えた生地２を縫い合わせるステップと、
(３) 角度を付ける為の生地３を縫い付けるステップと
(４) 身体に固定するためのベルト４を取り付けるステップと、
(５) ベルトを締め付ける締め具５を取り付けるステップと、を含む
【発明の効果】
【００１０】
本発明は、枠材に柔軟性と反発力を併せ持つ弾性体に、紫外線防御、撥水性を施した柔軟性に富む生地２を用いる事で、コンパクトに折りたたむ事が出来、持ち運びに容易である。枠材の弾性体１の反発効果により安易に展開できる。背面部から頭部にかけての曲がり部には形状保持用の生地３を配置することで、形状を維持させる事が出来る。装着用ベルト４を両腕に通し締め具５で留める形態の為、両手がふさがらない。形状により頭部、首、肩、背面まで覆うことで日差し、雨から身体を守り、熱中症や身体の濡れから守る利点がある。
【図面の簡単な説明】
【００１１】
【図１】本発明による実施方法の斜視図。
【図２】本発明の展開を表した斜視図。
【図３】本発明の枠の収納形態図。
【発明を実施するための形態】
【００１２】
図１は本発明に係る日除け兼雨具の実施例を示す。図１において日除け兼雨具の基本形は弾性体の枠材１、紫外線防止、撥水性を有した生地２、形状を保持するための生地３、装着する為のベルト４、ベルトを調整する為の締め具５から構成されたものである。
【００１３】
本発明に係る折畳収納可能な背負い屋根は、日閉じた柔軟性ワイヤにより形成され、上方枠、下方枠、左方枠、右方枠により構成される二次元状の枠部と、前記枠部を端部として張られた平面状の生地と、前記左方枠と前記右方枠のそれぞれ２点を接続する接続部と前記左方枠と前記右方枠の前記接続部の前記下方枠側に取り付けられ、輪状の装着保持部と、を含む。
【００１４】
接続部により前記柔軟性ワイヤが略直角に折り曲げられて前記枠部が屋根部と背負い部に分割され、該屋根部と背負い部とを重畳して折畳収納可能な折畳収納可能な背負い屋根である。
【００１５】
左方枠と前記右方枠とに取り付けられた左右の前記装着保持部をそれぞれ装着者の左腕と右腕に通して前記背負い部を該装着者の背中に当接させ、前記屋根部を該装着者の頭上に配置させ得る。
【実施例１】
【００１６】
図２は本発明に係る日除け兼雨具の実施例である。図２に示す弾性体の枠１内に紫外線防止、撥水性を有した生地２を縫い付け、形状保持部に保持用生地３を左右に取り付け、固定部として左右に取り付け固定用ベルト４には締め付け調整用の締め具５を備える。
【００１７】
図２は、本発明品６の展開図である
【００１８】
図３は収納時の１の形状を示す
【００１９】
この実施形態で頭部から背面部にかけて日光と雨等から人体を守っていることが解る。
【実施例２】
【００２０】
本体は発明品の弾性体の枠材の反発力において展開する。
展開後は本体左右に取り付け固定用ベルト４に両腕を通し、締め具５にて調整する。
【実施例３】
【００２１】
収納は弾性体の枠材１の持つ性質を利用し折りたたむことが出来る。
【符号の説明】
【００２２】
１：弾性体の枠材  ２：紫外線防止、撥水性を有した生地  ３：保持用生地  
４：固定用ベルト  ５：調整用の締め具  ６：本発明に係る屋根状背負い傘
【図１】
2019042135.tif 000003
【図２】
2019042135.tif 000004
【図３】
2019042135.tif 000005